(57)【要約】【課題】汚泥の主要な臭気成分である硫化水素の消臭効果に優れ、しかも持続性のある、汚泥の消臭方法及びその装置を提供する。【解決手段】汚泥中に亜硝酸イオンと硝酸イオンを共存させることを特徴とする、汚泥の硫化水素の除去及び発生を防止する方法。汚泥を貯留施設から脱水施設に移送する時、貯留施設あるいは貯留施設と脱水施設の中間にあるポンプ所より、亜硝酸イオンと硝酸イオンを添加して、該添加位置より先の硫化水素の濃度を低減させることを特徴とする汚泥の消臭方法。汚泥の貯留施設あるいは貯留施設と脱水施設の中間の汚泥移送路に、亜硝酸イオンと硝酸イオンとを含む硫化水素除去及び発生防止用薬剤の供給装置を設けた汚泥の消臭装置。【選択図】　　　図１
2004049940.tif 000002
【特許請求の範囲】
【請求項１】
汚泥中に亜硝酸イオンと硝酸イオンを共存させることを特徴とする、汚泥の硫化水素の除去及び発生を防止する方法。
【請求項２】
汚泥を貯留施設から脱水施設に移送する時、貯留施設あるいは貯留施設と脱水施設の中間にあるポンプ所より、亜硝酸イオンと硝酸イオンを添加して、該添加位置より先の硫化水素の濃度を低減させることを特徴とする汚泥の消臭方法。
【請求項３】
汚泥の貯留施設あるいは貯留施設と脱水施設の中間の汚泥移送路に、亜硝酸イオンと硝酸イオンとを含む硫化水素除去及び発生防止用薬剤の供給装置を設けたことを特徴とする汚泥の消臭装置。
【発明の詳細な説明】
【０００１】
【発明の属する技術分野】
本発明は、下水、し尿、排水などの有機性廃水の処理において生成する有機性汚泥を、貯留施設あるいは濃縮施設、またそれらから脱水施設に移送する際に、貯留施設、濃縮施設、脱水施設あるいはそれらの間の移送路で汚泥から発生する硫化水素を除去し、あるいは硫化水素の発生を抑制する方法に関する。
【０００２】
【従来の技術分野】
下水、し尿、排水などの汚水の処理施設においては、作業の効率化を図るために、汚泥が発生する数ヶ所の処理場から発生した汚泥を１ケ所にまとめ、そこで脱水するケースが多くなっている。このようなシステムにおいては、汚泥を中央処理所まで長距離移送しなければならない場合があり、移送中長時間汚泥が嫌気性状態におかれるため、硫化水素が発生し、脱水施設においては、硫化水素の臭気による労働環境が悪化し、ひどい場合には中毒を起すことがある。
また、汚泥を移送する管路においては、管の表面に硫黄酸化細菌の存在する水が付着している場合、発生した硫化水素が溶け込み、硫酸が生成し、これが管の成分であるコンクリートを腐食するという問題がある。
【０００３】
このような汚泥の移送過程で発生する硫化水素の発生を抑制する方法としては、塩化亜鉛、塩化第二鉄の溶液を適宜工業用水などで希釈し、汚泥に添加する方法がある。しかしながら、この方法では、得られた脱水汚泥には鉄や亜鉛などの金属が残留しているため、汚泥の再利用には適さないという問題がある。
また、次亜塩素酸塩、臭素酸塩等の酸化剤を単独で汚水や汚泥に添加して、臭気物質を酸化分解する方法も知られている。これらの方法は、汚水の臭気除去には有効であるが、汚水で発生した臭気を分解する際に、有効成分が速やかに使用されることより、移送する過程で発生する臭気を長時間十分に抑えることができないという問題もある。
【０００４】
【発明が解決しようとする課題】
上記のように、鉄、亜鉛などを主成分とする消臭剤を添加した汚泥から発生する脱水汚泥には、消臭剤に由来する金属が含まれるため再利用には制限がある。また、次亜塩素酸塩等の酸化剤を使用する場合は、脱水汚泥から発生する臭気を抑えるためには添加量が多く必要とする。
このような実情から、汚泥の再利用に制限が無く、簡便な管理で汚泥の移送過程で発生する硫化水素の除去、抑制が可能な方法が望まれている。
従って、本発明は、汚泥の主要な臭気成分である硫化水素の消臭効果に優れ、しかも持続性のある、汚泥の消臭方法及びその装置を提供することである。
【０００５】
【課題を解決するための手設】
本発明は、下記の手段により上記の課題を解決した。
（１）汚泥中に亜硝酸イオンと硝酸イオンを共存させることを特徴とする、汚泥の硫化水素の除去及び発生を防止する方法。
（２）汚泥を貯留施設から脱水施設に移送する時、貯留施設あるいは貯留施設と脱水施設の中間にあるポンプ所より、亜硝酸イオンと硝酸イオンを添加して、該添加位置より先の硫化水素の濃度を低減させることを特徴とする汚泥の消臭方法。
（３）汚泥の貯留施設あるいは貯留施設と脱水施設の中間の汚泥移送路に、亜硝酸イオンと硝酸イオンとを含む硫化水素除去及び発生防止用薬剤の供給装置を設けたことを特徴とする汚泥の消臭装置。
【０００６】
【発明の実施の形態】
以下に本発明を詳細に説明する。
本発明の骨子は、硫化水素が発生する汚泥中に亜硝酸イオンと硝酸イオンを共存させることによって、添加位置及びそれより先の硫化水素の濃度を低減させることにより、汚水の移送施設あるいは脱水施設の硫化水素による臭気環境の悪化を防ぎ、下水汚泥移送管路の腐食の防止が可能であることを見いだしたことである。
【０００７】
ここで、本発明で用いる亜硝酸イオンの供給源としては、既知の物質を任意に使用することができ、例えば、亜硝酸ナトリウム、亜硝酸カリウム、亜硝酸カルシウム、亜硝酸アンモニウム、亜硝酸ルビジウム、亜硝酸セシウム、亜硝酸マグネシウム、亜硝酸ストロンチウム、亜硝酸ニッケル、亜硝酸銅、亜硝酸亜鉛、亜硝酸銀、亜硝酸タリウムなどが挙げられる。窒素を含む排水の生物学的硝化を受け、亜硝酸イオンを含む処理水も、本発明の亜硝酸イオンとして使用できる。添加する際の薬剤の性状は特に限定されないが、水溶液とすることが望ましい。
【０００８】
本発明で用いる硝酸イオンの供給源としては、既知の物質を任意に使用することができ、硝酸イオンを形成する化合物としては硝酸ナトリウム、硝酸カリウム、硝酸カルシウム等の硝酸塩および硝酸があげられる。添加する際の薬剤の性状は特に限定されないが、水溶液であることが望ましい。
【０００９】
汚泥に硝酸イオンを添加する場所は、貯留施設あるいは、貯留施設と脱水施設の中間にあるポンプ所であれば特に限定されない。また、添加場所の数も特に限定されない。
亜硝酸イオンと硝酸イオンは別々の添加装置から添加しても良いし、両者をあらかじめ混合して添加しても良い。両者をあらかじめ混合した方が１ヶ所の添加位置に対して１つの添加装置と、添加システムを単純にすることができる。
【００１０】
また、添加するタイミングはプロセスの状態、硫化水素の発生状態に影響されるが、添加時汚泥中の亜硝酸イオンと硝酸イオンの量を一定に保つために、汚泥の移送に併せて添加することが望ましい。
添加量は、添加時に発生している硫化水素の濃度や、硫化水素の発生しやすさによって異なり、特に限定されないが、亜硝酸イオンの濃度は添加時で１０ｍｇ／リットル以上が望ましい。硝酸イオンの量も、添加時に発生している硫化水素の濃度や、硫化水素の発生しやすさによって異なり、特に限定されないが、亜硝酸イオンの量の０．５％〜５０％添加するのが好適である。
【００１１】
硝酸イオンの割合を多くすると、新たな硫化水素の発生を長時間抑えることはできるが、既に存在する硫化水素の除去効果が落ち、全体の添加量が多くなり経済的ではなくなる。
添加時の硫化水素の発生量が多いときは亜硝酸イオンの添加量を増やし、添加時の硫化水素の発生量が少なく、移送時の硫化水素の発生量が多いときは、硝酸イオンの割合を多くすることが望ましい。
【００１２】
図面により本発明を具体的に説明すると、図１は、本発明による汚泥からの硫化水素の除去及び発生を防止する消臭装置の概略的構成を示すブロック図である。図１において、３は導管２から導入される汚泥スラリーと亜硝酸イオンと硝酸イオンが共存する消臭剤を撹拌・混合するミキサー６を有する汚泥の貯留施設である。５は上記消臭剤４を添加する装置であり、ポンプ（図１ではポンプを示す）又は給粉機である。消臭剤４が添加された後、脱水施設７にて脱水される。また、図２のように、貯留施設３と脱水施設７の中間に供給装置５を設けて、配管２で混合させてもかまわない。
【００１３】
【実施例】
以下に、本発明を実施例により詳細に説明するが、本発明はこれらの実施例のみに限定されるものではない。
【００１４】
（実施例１及び比較例１）
（試験方法）
１）供試汚泥１００ｍｌに対して所定量の薬品を添加する。
２）汚泥を臭気試験袋に入れてシリコン栓で密封し、空気６００ｍｌを注入する。（薬注条件、測定時間毎に検体を調製）
３）恒温槽（３０℃）内に所定時間保管した後、袋内のヘッドスペース中の臭気を検知管法により測定する。
（試験結果）
測定結果を第１表に示す。
【００１５】
【表１】
2004049940.tif 000003
【００１６】
なお、比較例１は、実施例１に使用した以下の第２表に示す性状の汚泥に対して、薬剤を添加せずに上記試験法に基づいて試験した。
【００１７】
【表２】
2004049940.tif 000004
【００１８】
また、実施例１は、第２表に示す性状の汚泥に対して、亜硝酸イオンを１３４ｍｇ／リットル、硝酸イオンを５．５ｍｇ／リットル含む亜硝酸ナトリウム及び硝酸ナトリウムを、混合溶液にして添加した。（亜硝酸ナトリウム４０ｗｔ％、硝酸ナトリウム１．５ｗｔ％溶液に調製）
【００１９】
上記実施例１より、１時間以内で硫化水素を検出下限以下にし、その後、２４時間硫化水素の発生が認められないことから、亜硝酸イオン、硝酸イオン混合溶液を使用することにより既に存在している硫化水素を除去し、発生を抑制していることがわかる。この結果より、汚泥移送配管内での硫化水素の発生を抑制し、臭気問題、腐食問題を解決することができる。
【００２０】
【発明の効果】
本発明によれば、硫化水素が発生する汚泥中に亜硝酸イオンと硝酸イオンを共存させることにより、硫化水素の濃度を低滅させることによって、汚水の移送施設や脱水施設の臭気環境の悪化を防止するとともに、下水汚泥移送管路の腐食も防止することができる。
しかも、亜硝酸イオンや硝酸イオンの供給源として、鉄や亜鉛等の重金属塩以外のものを選べば、脱水汚泥のコンポスト原料等としての再利用も可能である。
【図面の簡単な説明】
【図１】本発明の汚泥の硫化水素の除去及び発生防止装置の構成を示すブロック図である。
【図２】本発明の汚泥由来の硫化水素の消臭装置の別の構成を示すブロック図である。
【符号の説明】
１　汚泥
２　導管
３　貯留施設
４　消臭剤（ＮＯ２−＋ＮＯ３−）
５　消臭剤添加装置
６　ミキサー
７　脱水施設
【図１】
2004049940.tif 000005
【図２】
2004049940.tif 000006